(57)【要約】【課題】客それぞれに対する分担額をシミュレーションしても、会計処理に活用できていない。【解決手段】実施形態の情報処理装置は、注文情報読込手段と、条件受付手段と、分担額計算手段と、出力手段とを備える。注文情報読込手段は、記憶手段から、客が注文した商品の金額を含んだ注文情報を読み込む。条件受付手段は、前記商品の合計金額を複数の会計に分ける場合に、前記各会計に対する分担額を計算する計算条件を受付ける。分担額計算手段は、前記注文情報読込手段が読み込んだ前記注文情報と、前記条件受付手段が受付けた前記計算条件とに基づいて、前記分担額を計算する。出力手段は、前記各分担額を記載した伝票を発行する伝票発行手段に対して、前記分担額計算手段が計算した前記分担額を出力する。【選択図】図１
2012003541.tif 000002
【特許請求の範囲】
【請求項１】
記憶手段から、客が注文した商品の金額を含んだ注文情報を読み込む注文情報読込手段と、
前記商品の合計金額を複数の会計に分ける場合に、前記各会計に対する分担額を計算する計算条件を受付ける条件受付手段と、
前記注文情報読込手段が読み込んだ前記注文情報と、前記条件受付手段が受付けた前記計算条件とに基づいて、前記分担額を計算する分担額計算手段と、
前記各分担額を記載した伝票を発行する伝票発行手段に対して、前記分担額計算手段が計算した前記分担額を出力する出力手段と、
を備えたことを特徴とする情報処理装置。
【請求項２】
前記条件受付手段は、前記各会計に対する重み付けの条件を受付けて、
前記分担額計算手段は、前記重み付けの条件を用いて、前記各会計に対する前記分担額を計算すること、
を特徴とする請求項１に記載の情報処理装置。
【請求項３】
前記条件受付手段は、前記合計金額を客の人数分で割った１人当たりの割勘金額を、前記各会計がそれぞれ何人分分担するかの選択を受付けて、
前記分担額計算手段は、前記条件受付手段が受付けた前記各会計の分担人数を前記割勘金額に乗じることにより、前記各会計に対する前記分担額を計算すること、
を特徴とする請求項１または２に記載の情報処理装置。
【請求項４】
前記条件受付手段は、前記注文情報読込手段が読み込んだ前記注文情報において、前記各商品の金額をいずれの前記会計の分担とするかの選択を受付けて、
前記分担額計算手段は、前記各会計に対して選択された前記商品の合計金額を計算して、前記各会計に対する前記分担額を計算すること、
を特徴とする請求項１に記載の情報処理装置。
【請求項５】
前記条件受付手段は、前記各会計のそれぞれを識別する会計番号に対応付けて、前記各会計番号の前記会計に対する前記分担額を計算する前記計算条件を受付けて、
前記分担額計算手段は、前記会計番号の前記各会計に対する前記分担額を計算し、
前記出力手段は、前記会計番号と、前記分担額計算手段が計算した前記各会計番号に対する前記分担額とを対応付けた支払い情報を出力すること、
を特徴とする請求項１ないし４のいずれか１つに記載の情報処理装置。
【請求項６】
情報処理装置において、コンピュータを、
記憶手段から、客が注文した商品の金額を含んだ注文情報を読み込む注文情報読込手段と、
前記商品の合計金額を複数の会計に分ける場合に、前記各会計に対する分担額を計算する計算条件を受付ける条件受付手段と、
前記注文情報読込手段が読み込んだ前記注文情報と、前記条件受付手段が受付けた前記計算条件とに基づいて、前記分担額を計算する分担額計算手段と、
前記各分担額を記載した伝票を発行する伝票発行手段に対して、前記分担額計算手段が計算した前記分担額を出力する出力手段と、
して機能させるためのプログラム。
【発明の詳細な説明】
【技術分野】
【０００１】
本発明の実施形態は、情報処理装置およびプログラムに関する。
【背景技術】
【０００２】
飲食店において複数人数で飲食した場合等には、各自がオーダした品物を店員に宣告したり、或いは店員に割勘支払いの計算をしてもらったりするなどして、会計処理を行う場合が多い。また、従来技術としては、割勘金額を計算して客に提示するＰＯＳ（Point  Of  Sales：販売時点データ管理）端末や、携帯型電子端末において割勘計算をするアプリケーションに関する技術が開示されている。
【発明の概要】
【発明が解決しようとする課題】
【０００３】
しかしながら、従来技術においては、客それぞれに対する分担額をシミュレーションしても、会計処理に活用できていないという課題がある。
【課題を解決するための手段】
【０００４】
実施形態の情報処理装置は、注文情報読込手段と、条件受付手段と、分担額計算手段と、出力手段とを備える。注文情報読込手段は、記憶手段から、客が注文した商品の金額を含んだ注文情報を読み込む。条件受付手段は、前記商品の合計金額を複数の会計に分ける場合に、前記各会計に対する分担額を計算する計算条件を受付ける。分担額計算手段は、前記注文情報読込手段が読み込んだ前記注文情報と、前記条件受付手段が受付けた前記計算条件とに基づいて、前記分担額を計算する。出力手段は、前記各分担額を記載した伝票を発行する伝票発行手段に対して、前記分担額計算手段が計算した前記分担額を出力する。
【０００５】
また、実施形態のプログラムは、情報処理装置において、コンピュータを、注文情報読込手段と、条件受付手段と、分担額計算手段と、出力手段として機能させる。注文情報読込手段は、記憶手段から、客が注文した商品の金額を含んだ注文情報を読み込む。条件受付手段は、前記商品の合計金額を複数の会計に分ける場合に、前記各会計に対する分担額を計算する計算条件を受付ける。分担額計算手段は、前記注文情報読込手段が読み込んだ前記注文情報と、前記条件受付手段が受付けた前記計算条件とに基づいて、前記分担額を計算する。出力手段は、前記各分担額を記載した伝票を発行する伝票発行手段に対して、前記分担額計算手段が計算した前記分担額を出力する。
【図面の簡単な説明】
【０００６】
【図１】図１は、注文管理システムの構成を示すシステム構成図である。
【図２】図２は、伝票の一例を示す図である。
【図３】図３は、情報処理装置のハードウェア構成を示すブロック図である。
【図４】図４は、情報処理装置の機能的構成を示す機能ブロック図である。
【図５】図５は、トップ画面を示す正面図である。
【図６】図６は、計算方法選択画面の一例を示す正面図である。
【図７】図７は、分担額計算画面の一例を示す正面図である。
【図８】図８は、分担額計算画面のその他の例を示す正面図である。
【図９−１】図９−１は、会計別の伝票の一例を示す正面図である。
【図９−２】図９−２は、会計別の伝票の一例を示す正面図である。
【図１０】図１０は、分担額計算画面の一例を示す正面図である。
【図１１−１】図１１−１は、会計別の伝票の一例を示す正面図である。
【図１１−２】図１１−２は、会計別の伝票の一例を示す正面図である。
【図１２】図１２は、注文管理システムにおいて行われる伝票発行処理の手順を示すシーケンス図である。
【図１３】図１３は、第２の実施形態にかかる注文管理システムの構成を示すシステム構成図である。
【発明を実施するための形態】
【０００７】
（第１の実施形態）
図１は、第１の実施形態にかかる注文管理システム（オーダエントリシステム）１００の構成を示すシステム構成図である。注文管理システム１００は、レストラン等の飲食店等において構築され、客から受けた注文を一括管理して、厨房へのメニューオーダと、会計処理とを円滑に行うためのシステムである。
【０００８】
図１に示すように、注文管理システム１００は、無線通信機４と、伝票発行機５と、ＰＯＳ（Point  Of  Sales）端末６と、注文管理装置７とがＬＡＮ（Local  Area  Network）や無線ＬＡＮ等の通信回線８で接続されて構成されている。また、情報処理装置１および注文入力装置３は、無線通信によって無線通信機４と通信可能となっている。
【０００９】
注文入力装置３は、フロア担当店員が携帯して客からの注文を受付けるハンディターミナルであり、メニュー番号を選択するボタン３１と、選択されたメニューを表示する液晶ディスプレイ３２とを備えている。店員は、客からの注文を受付ける場合には、まず客のテーブルのテーブル番号をボタン３１から入力し、このテーブル番号に対する注文として、客が注文した商品名をボタン３１から入力していく。注文が確定されると、注文入力装置３は、無線通信機４とを介して、客が注文した商品名をテーブル番号に対応付けて注文管理装置７に送信する。
【００１０】
注文管理装置７は、注文管理システム１００のシステム全体を管理制御するコントロールステーションであり、一般的なコンピュータ構成のサーバ端末で構成されている。また、注文管理装置７は、商品の商品名と商品価格とを対応付けて記憶している。また、注文管理装置７は、注文入力装置３から注文を受信した場合に、受信した商品名および注文数と、各商品の商品価格とによって、その伝票番号の客に対する注文情報を生成する。また、注文管理装置７は、生成した注文情報を注文管理装置７のメモリ領域に格納すると共に、伝票発行機５に送信する。
【００１１】
尚、注文情報には、客のテーブル番号および当該客に発行する伝票の伝票番号と、客の人数と、当該テーブル番号のテーブルの客が注文した商品について、各商品の商品名と金額および全商品の合計金額とが含まれている。
【００１２】
伝票発行機５は、注文管理装置７から送信された注文情報に基づいて、テーブル番号および受注した商品名（メニュー）を記載した伝票（図２参照）と、厨房にメニューを指示するためのキッチン指示票（不図示）とを印刷する。フロア担当の店員は、印刷された伝票を該当するテーブル番号のテーブルに持参する。
【００１３】
ＰＯＳ端末６は、会計時に客が持参した伝票を用いて会計処理を行う販売データ処理装置であり、従来一般的に用いられているＰＯＳ端末と同様の構成を有している。従来一般的に行われているように、店員は伝票（図２参照）に付されたバーコードをスキャナ６１でスキャンして伝票番号を読み込む。或いは、店員が伝票に記された伝票番号やテーブル番号をキーボード６３やタッチパネル式ディスプレイ６４から入力して、ＰＯＳ端末６に伝票番号を入力してもよい。ＰＯＳ端末６は、入力された伝票番号を用いて注文管理装置７に注文情報を問合せ、注文管理装置７から送信された注文情報を読み込んで、ディスプレイ６２、６４に支払い金額を表示し、会計処理を行う。
【００１４】
情報処理装置１は、客のテーブルにそれぞれ備え付けられて、客が支払い金額の分担額を計算する際に用いられるものである。図１に示すように、情報処理装置１は、タッチパネル２６が表面に設けられた液晶ディスプレイ２５と、スキャナ２７とを主に備えている。
【００１５】
図３は、情報処理装置１のハードウェア構成を示すブロック図である。図３に示すように、情報処理装置１は、図１で示した液晶ディスプレイ２５と、タッチパネル２６と、スキャナ２７とに加えて、ＣＰＵ（Central  Processing  Unit）２０と、ＲＯＭ（Read  Only  Memory）２１と、ＲＡＭ（Random  Access  Memory）２２と、通信Ｉ／Ｆ(Interface)２３とを備えており、これらがバス２４で接続されている。ＲＯＭ２１は本実施形態にかかるプログラムや、その他各種データを格納している。ＣＰＵ２０は、ＲＯＭ２１に格納された本実施形態のプログラムをＲＡＭ２２に展開して実行することにより、情報処理装置１が行う各処理を制御する制御部１０として機能する。また、情報処理装置１は、通信Ｉ／Ｆ２３および無線通信機４を介して注文管理装置７と通信可能に構成されている。
【００１６】
図４は、情報処理装置１の機能的構成を示す機能ブロック図である。図４に示すように、制御部１０は、表示制御部１１と、注文情報読込部１２と、条件受付部１３と、分担額計算部１４と、出力部１５とを主に備えている。
【００１７】
表示制御部１１は、ＲＯＭ２１に格納された表示データを用いて、液晶ディスプレイ２５に各種表示画面（図５〜図８、図１０参照）を表示する。即ち、表示制御部１１は、同一のテーブル番号のテーブルに同席した１グループの合計支払い金額を複数の会計に分けて支払いする場合に、各会計が分担する分担額の計算方法を選択する計算方法選択画面（図６参照）を表示する。また、表示制御部１１は、分担額を計算する分担額計算画面（図７、図８、図１０参照）を液晶ディスプレイ２５に表示する。
【００１８】
注文情報読込部１２は、スキャナ２７がバーコードから読み込んだ伝票番号を用いて、当該伝票番号に対応する注文情報を注文管理装置７に問合せる。また、注文情報読込部１２は、注文管理装置７から送信された注文情報をＲＡＭ２２のワークメモリに読み込む。
【００１９】
条件受付部１３は、タッチパネル２６に対するタッチ入力を受付けて、計算方法選択画面（図６参照）から分担額を計算する際の計算方法の選択を受付ける。また、条件受付部１３は、分担額計算画面（図７、図８、図１０参照）から、各会計の分担額を計算する場合の計算条件を受付ける。さらに、条件受付部１３は、複数に分けられた会計のそれぞれを識別する会計番号に対応付けて、各会計番号の会計に対する分担額を計算する計算条件を受付ける。
【００２０】
分担額計算部１４は、注文情報読込部１２が読み込んだ注文情報と、条件受付部１３が受付けた計算条件とに基づいて、各会計の分担額を計算する。
【００２１】
出力部１５は、分担額計算部１４が各会計番号に対して計算した分担額と、当該会計番号とを対応付けた支払い情報を、通信Ｉ／Ｆ２３を介して注文管理装置７に送信する。注文管理装置７は、送信された支払い情報を用いて伝票発行機５に伝票発行を指示し、伝票発行機５は各会計番号に対する分担額を記載した伝票（図９−１、図９−２、図１１−１、図１１−２参照）を発行する。
【００２２】
次に、情報処理装置１が行う分担額の計算例について、図５ないし図１１を参照して説明する。
【００２３】
図５は、液晶ディスプレイ２５に表示される表示画面の一例として、トップ画面を示す正面図である。図５に示すように、トップ画面には客に対するメッセージとして、伝票のバーコードをスキャナ２７で読み込むように促すメッセージが表示される。そして、客がスキャナ２７によって伝票（図２参照）に付されたバーコードをスキャンすると、情報処理装置１は、バーコードから伝票番号を読み込む。そして、注文情報読込部１２は、読み込んだ伝票番号により注文管理装置１に注文情報を問合せて、伝票番号に対応する注文情報を読み込む。
【００２４】
表示制御部１１は、注文情報読込部１２が読み込んだ注文情報を用いて、液晶ディスプレイ２５に図６のような計算方法選択画面を表示させる。図６に示すように、計算方法選択画面には、注文情報読込部１２が読み込んだ注文情報として、注文した各商品の商品名および値段と、合計金額とが表示される。また、計算方法選択画面には、割勘計算を行う画面を選択するボタンａと、注文品ごとに料金計算を行うボタンｂが表示される。
【００２５】
客がボタンａをタッチした場合に、表示制御部１１は、液晶ディスプレイ２５に図７に示す分担額計算画面を表示させる。図７は、分担額計算画面の一例を示す正面図である。図７に示すように、分担額計算画面には、図２の伝票に示されている合計金額が表示される。また、分担額計算画面には、注文情報に含まれている客の人数が表示され、合計金額を客の人数で均等に割った客１人あたりの金額が計算されて表示される。図７では、５９００円の合計金額を５人で割勘しているので、１人当たりの分担額は、分担額計算部１４によって１１８０円と計算される。ここで、「この内容で伝票発行する」旨を記したボタンを選択すると、出力部１５は、注文管理装置７に１人当たりの分担額が１１８０円である旨の支払い情報を出力する。注文管理装置７はこの支払い情報を用いて伝票発行機５に伝票発行指示を送り、１１８０円の伝票を５枚発行させる。
【００２６】
また、２家族で食事をした場合等には、例えば１家族目の３名分をまとめて支払い、２家族目の２名分をまとめて支払いたい場合がある。これに対して、分担額計算部１４は、１人あたりの分担額を複数人数まとめた金額も計算することができる。
【００２７】
条件受付部１３は、客が図７の分担額計算画面から、１人当たりの割勘金額を各会計番号の客がそれぞれ何人分分担するかの選択を受付ける。そして、分担額計算部１４は、条件受付部１３が受け付けた分担人数を割勘金額に乗じて、各会計番号の会計に対する分担額を計算する。即ち、図７では、分担額計算部１４は、会計番号が１の「お会計１」に対しては、１１８０円の３人分の料金を３５４０円と計算し、会計番号が２の「お会計２」に対しては、１１８０円の２人分の料金を２３６０円と計算する。
【００２８】
ここで、「この内容で伝票発行する」のボタンが選択されると、出力部１５は、注文管理装置７に、会計番号１の分担額は３５４０円であり、会計番号２の分担額は２３６０円である旨の支払い情報を出力する。注文管理装置７は、この支払い情報を用いて伝票発行機５に伝票発行指示を送り、図９−１、図９−２に示す２枚の伝票を発行させる。図９−１に示されるように、会計番号１（お会計Ｎｏ：１）の客に対しては３５４０円が請求され、図９−２に示されるように、会計番号２（お会計Ｎｏ：２）の客に対しては２３６０円が請求される。
【００２９】
また、図７に示す分担額計算画面において、割勘する場合の人数は変更可能となっている。条件受付部１３は、客が分担額計算画面において三角マークを操作して割勘金額を計算する人数を変更した場合には、支払いをする人数（割勘計算の人数）の変更を受付ける。例えば割勘計算の人数を２人とした場合に、分担額計算部１４は、図８に示すように１人当たりの分担額を２９５０円と計算する。
【００３０】
さらに、分担額計算部１４は、合計金額を分配する場合に、重み付けをして分担額を計算することも可能である。図８は、会計割合を変更する場合における、分担額計算画面の一例を示す正面図である。図８に示すように、会計１は、会計２に対して１．５倍の金額を支払うという条件を入力すると、条件受付部１３が入力された比率を重み付けの条件として受付ける。そして、分担額計算部１４は、受付けた重み付けの条件を用いて、各会計番号の会計に対して分担額を計算する。
【００３１】
図８に示す例では、分担額計算部１４は、合計金額を１．５：１の比率で会計１と会計２に分配して、会計１の請求金額を３５４０円、会計２の請求金額を２３６０円と計算する。この場合に「この内容で伝票発行する」というボタンを選択すると、出力部１５は、会計番号１の分担額は３５４０円で、会計番号２の分担額は２３６０円である旨の支払い情報を注文管理装置７に出力する。注文管理装置７は伝票発行機５に伝票発行指示を出して、会計番号１に対しては図９−１に示す伝票を、会計番号２に対しては図９−２に示す伝票を発行させる。
【００３２】
加えて、分担額計算部１４は、注文商品ごとにその支払いをする客を選択して、分担額を計算することも可能である。図６の計算方法選択画面において、客がボタンｂをタッチした場合に、表示制御部１１は図１０に示す分担額計算画面を液晶ディスプレイ２５に表示させる。この場合、分担額計算画面には、図１０に示すように、客が注文した全ての商品名と金額が表示される。例えば２家族で食事した場合には、客は、分担額計算画面において、１家族目が注文した料理であるハンバーグ定食と、お子様定食と、和定食と、ドリンク２つとを、会計Ｎｏ：１である会計１として選択する。条件受付部１３はこの選択を計算条件として受付けて、分担額計算部１４はこれらの合計金額を３４００円として計算する。
【００３３】
客が計算結果を確定して、「この内容で伝票発行する」旨が記されたボタンを選択すると、出力部１５は、会計１に対して選択されたメニュー全品の商品名および会計１の合計金額と、会計２で選択されたメニュー全品の商品名および会計１の合計金額とを、この伝票番号に対する支払い情報として注文管理装置７に出力する。注文管理装置７は、伝票発行機５にこの支払い情報を用いて伝票発行指示を出して、図１１−１、図１１−２に示すような２枚の伝票を発行させる。これにより、会計Ｎｏ：１の１家族目の客は、図１１−１の伝票を用いて１家族目の家族が注文した商品についてのみ支払いをすることが可能であり、会計Ｎｏ：２の２家族目の客は、図１１−２の伝票を用いて２家族目の家族が注文した商品についてのみ支払いをすることが可能となる。
【００３４】
次に、注文管理システム１００において行われる伝票発行処理の手順について図１２を参照して説明する。図１２は、注文管理システム１００において行われる伝票発行処理の手順を示すシーケンス図である。
【００３５】
まず、店員は注文入力装置３においてテーブル番号および当該テーブル番号の客の注文を入力する。そして、注文入力装置３はテーブル番号と注文内容を無線通信機４を介して注文管理装置７に送信する（ステップＳ１）。注文管理装置７は、受信した注文内容を元に注文情報を生成し（ステップＳ２）、生成した注文情報をメモリに格納するとともに、伝票発行機５に送信する（ステップＳ３）。伝票発行機５は、受信した注文情報に基づいて図２に示すような伝票を発行する（ステップＳ４）。
【００３６】
店員は、発行された伝票を該当するテーブル番号の客のもとに持参する。そして、客はこの伝票のバーコード（図２参照）をスキャナ２７（図１参照）でスキャンして伝票番号を読み取る（ステップＳ５）。情報処理装置１は、読み取った伝票番号によって注文管理装置７に注文情報を問合せる（ステップＳ６）。これに対し、注文管理装置７は、該当する伝票番号の注文情報をメモリから読み込んで情報処理装置１に送信する（ステップＳ７）。
【００３７】
情報処理装置１は、読み込んだ注文情報を表示した計算方法選択画面（図６参照）を液晶ディスプレイ１５に表示する。また、情報処理装置１は、客の選択に応じて分担額計算画面（図７、図８、図１０参照）を表示して、当該画面から受付けた計算条件を用いて分担額を計算する（ステップＳ８）。情報処理装置１は、分担額が確定された場合に、会計ごとの分担額を会計番号に対応付けた支払い情報を注文管理装置７に送信する（ステップＳ９）。
【００３８】
注文管理装置７は、受信した支払い情報をメモリに格納する（ステップＳ１０）。そして、注文管理装置７は、当該支払い情報を通信回線８を介して伝票発行機５に送信し、支払い情報に基づいて各会計番号の伝票を発行するよう指示する（ステップＳ１１）。
【００３９】
伝票発行機５は、注文管理装置７から伝票発行指示を受付けた場合に、会計番号ごとの伝票（図９、図１１参照）を発行する（ステップＳ１２）。図示するように、伝票には、伝票番号および会計番号を含むバーコードが印刷される。そして、店員は、発行された複数枚の伝票を該当するテーブル番号の客に届ける。これにより、「お会計Ｎｏ：１」の客は図９−１に示す伝票により会計処理を行うことができ、「お会計Ｎｏ：２」の客は図９−２に示す伝票により会計処理を行うことができる。
【００４０】
そして、客は会計時にこの伝票を会計担当の店員に渡すと、店員はＰＯＳ端末６のスキャナ６１によって伝票のバーコードを読み込む（ステップＳ１３）。ＰＯＳ端末６は、伝票のバーコードから読み取った伝票番号および会計番号を用いて、これら番号に対応する支払い情報を注文管理装置７に問合せる（ステップＳ１４）。そしてＰＯＳ端末６は、注文管理装置７から送信された、各会計番号に対する支払い情報を受信して（ステップＳ１５）、液晶ディスプレイ６２、６４に分担額を表示させて会計処理を行う（ステップＳ１６）。
【００４１】
このように、第１の実施形態によれば、客はテーブルについたまま情報処理装置１を用いて支払いのシミュレーションをすることができ、店員を呼ばずとも計算結果を反映した伝票を受け取ることができる。
【００４２】
尚、ＰＯＳ端末６は、注文管理装置７に問合せずに、伝票に記載された分担額を店員がＰＯＳ端末６に入力して会計処理を行ってもよい。
【００４３】
尚、上述では、伝票発行機５が分担額を記載した伝票を再発行して会計処理を行うとしたが、伝票発行機５が伝票を再発行することなく会計処理を行うとしてもよい。この場合には、注文管理装置７が会計番号ごとの支払い情報をＰＯＳ端末６に直接送信して、ＰＯＳ端末６での会計処理時に店員が会計番号と分担額を口頭などで確認して会計処理を行うとしてもよい。
【００４４】
また、上述では、図９や図１１に示すように伝票発行機５は会計番号ごとに複数の伝票を発行するとしたが、各会計番号に対する分担額は、１枚の伝票にまとめて印刷されても良い。
【００４５】
（第２の実施形態）
第１の実施形態では、注文管理システム１００に分担額を計算する情報処理装置１を新たに備えたが、従来一般的に用いられているテーブルオーダ端末に同様の機能を備えて、このテーブルオーダ端末により分担額の計算を行ってもよい。
【００４６】
図１３は、第２の実施形態にかかる注文管理システム２００の構成を示すシステム構成図である。図１３に示すように、注文管理システム２００は、情報処理装置１の代わりにオーダ端末２を各テーブルに備え付けている。オーダ端末２は、情報処理装置１と同様にタッチパネル２６が表面に設けられている液晶ディスプレイ２５を備えている。
【００４７】
また、オーダ端末２は、情報処理装置１と同様に、ＣＰＵと、ＲＯＭと、ＲＡＭと、通信Ｉ／Ｆと、タッチパネル式の液晶ディスプレイとを備えている。また、オーダ端末２はＲＯＭに本実施形態のプログラムを格納しており、ＣＰＵがＲＯＭから当該プログラムを読み込んで実行することにより、情報処理装置１と同様に、表示制御部１１と、注文情報読込部１２と、条件受付部１３と、分担額計算部１４と、出力部１５とを備えた制御部１０（図４参照）として機能する。
【００４８】
客が、液晶ディスプレイ２５に表示された注文入力画面（不図示）からメニューを注文すると、注文内容は無線通信機４を介して注文管理装置７に送信されるとともに、オーダ端末２のＲＡＭ（不図示）に格納される。
【００４９】
即ち本実施形態では、注文情報がオーダ端末２のＲＡＭに記憶されるため、第１の実施形態のように、伝票をスキャンして読み取った伝票番号に基づいて注文管理装置７から注文情報を読み込む必要がない。従って、本実施形態の注文情報読込部１２は、オーダ端末２のＲＡＭから注文情報を読み込んで、分担額計算画面（図６参照）に表示する。その他の処理は、第１の実施形態と同様である。
【００５０】
このように、第２の実施形態によれば、従来から一般的に用いられているオーダ端末２に分担額計算機能を備えればよいので、注文と分担額計算の機能を兼用することができ、システム導入コストを抑えることができる。
【００５１】
以上説明したとおり、第１および第２の実施形態によれば、客は客席についたまま分担額のシミュレーションをすることができるとともに、計算結果をＰＯＳ端末６での会計処理に用いることができるという効果を奏する。
【００５２】
なお、本実施形態の情報処理装置で実行されるプログラムは、ＲＯＭ２１等に予め組み込まれて提供される。本実施形態の情報処理装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００５３】
さらに、本実施形態の情報処理装置で実行されるプログラムを、インターネット等のネットワークに接続されたコンピュータ上に格納し、ネットワーク経由でダウンロードさせることにより提供するように構成しても良い。また、本実施形態の情報処理装置で実行されるプログラムをインターネット等のネットワーク経由で提供または配布するように構成しても良い。
【００５４】
本実施形態の情報処理装置で実行されるプログラムは、上述した各部（表示制御部１１、注文情報読込部１２、条件受付部１３、分担額計算部１４、出力部１５）を含むモジュール構成となっており、実際のハードウェアとしてはＣＰＵ２０（プロセッサ）が上記ＲＯＭ２１からプログラムを読み出して実行することにより上記各部が主記憶装置上にロードされ、表示制御部１１、注文情報読込部１２、条件受付部１３、分担額計算部１４、出力部１５が主記憶装置上に生成されるようになっている。
【符号の説明】
【００５５】
１００、２００  注文管理システム
１  情報処理装置
２  オーダ端末
３  注文入力装置
４  無線通信機
５  伝票発行機
６  ＰＯＳ端末
７  注文管理装置
８  通信回線
１１  表示制御部
１２  注文情報読込部
１３  条件受付部
１４  分担額計算部
１５  出力部
【先行技術文献】
【特許文献】
【００５６】
【特許文献１】特開平１１−８６１３７号公報
【図１】
2012003541.tif 000003
【図２】
2012003541.tif 000004
【図３】
2012003541.tif 000005
【図４】
2012003541.tif 000006
【図５】
2012003541.tif 000007
【図６】
2012003541.tif 000008
【図７】
2012003541.tif 000009
【図８】
2012003541.tif 000010
【図９−１】
2012003541.tif 000011
【図９−２】
2012003541.tif 000012
【図１０】
2012003541.tif 000013
【図１１−１】
2012003541.tif 000014
【図１１−２】
2012003541.tif 000015
【図１２】
2012003541.tif 000016
【図１３】
2012003541.tif 000017